(57)【要約】【課題】マルチモードファイバを用いた光通信において、任意のモードの光信号を受信することが可能なデジタルコヒーレント受信機を提供する。【解決手段】複数のモードの光信号を多重したモード多重信号を入力し、分岐して出力するマルチモード光カプラと、分岐したモード多重信号をそれぞれコヒーレント検波するマルチモードコヒーレント受信機と、コヒーレント検波における局発光を出力する局発光源と、局発光をそれぞれ任意のモードで励振して、マルチモードコヒーレント受信機に対して出力するモード励振器と、マルチモードコヒーレント受信機から出力されたモード多重信号と任意のモードで励振された局発光間の干渉からなる電気信号を、それぞれデジタル信号へ変換するＡＤ変換器と、ＡＤ変換器のそれぞれから出力するデジタル信号におけるモード多重信号間に生じるクロストークの補償及び波形等化を行い復調するデジタル信号処理装置とを備える。【選択図】図１
2017038103.tif 000002
【特許請求の範囲】
【請求項１】
複数のモードの光信号を多重したモード多重信号を入力し、分岐して出力するマルチモード光カプラと、
分岐した前記モード多重信号をそれぞれコヒーレント検波するマルチモードコヒーレント受信機と、
前記コヒーレント検波における局発光を出力する局発光源と、
前記局発光をそれぞれ任意のモードで励振して、前記マルチモードコヒーレント受信機に対して出力するモード励振器と、
前記マルチモードコヒーレント受信機から出力された前記モード多重信号と任意のモードで励振された局発光間の干渉からなる電気信号を、それぞれデジタル信号へ変換するＡＤ変換器と、
前記ＡＤ変換器のそれぞれから出力する前記デジタル信号における前記モード多重信号間に生じるクロストークの補償及び波形等化を行い復調するデジタル信号処理装置と
を備えるデジタルコヒーレント受信機。
【請求項２】
複数のモードの光信号を多重したモード多重信号を入力し、分岐して出力するマルチモード光カプラと、
分岐した前記モード多重信号をそれぞれコヒーレント検波するマルチモードコヒーレント受信機と、
前記コヒーレント検波における局発光を出力する局発光源と、
前記局発光をそれぞれ任意のモードで励振して、前記マルチモードコヒーレント受信機に対して出力するモード励振器と、
前記マルチモードコヒーレント受信機から出力された前記モード多重信号と任意のモードで励振された局発光間の干渉からなる電気信号を、それぞれデジタル信号へ変換するＡＤ変換器と、
前記ＡＤ変換器のそれぞれから出力する前記デジタル信号を、それぞれ波形等化して復調するＮ個のデジタル信号処理装置と
を備えるデジタルコヒーレント受信機。
【発明の詳細な説明】
【技術分野】
【０００１】
本発明は、光通信に用いるデジタルコヒーレント受信機に関する。
【背景技術】
【０００２】
光ファイバ通信では、多値変調技術や波長多重伝送技術を用いて、超高速かつ大容量な光伝送システムを実現してきた。近年の光伝送システムでは、コヒーレント光通信技術とデジタル信号処理技術を組み合わせたデジタルコヒーレント技術が実用化されている。デジタルコヒーレント技術を用いて１チャネルあたり１００Ｇｂｉｔ／ｓ以上の光信号を波長多重伝送技術して送信することにより、光伝送システムの大容量化が実現されている（例えば、非特許文献１参照）。
【０００３】
デジタルコヒーレント技術によって伝送容量の大容量化が進められている一方で、光ファイバに入力できるパワーの限界に起因して、伝送容量拡大の限界を迎えようとしている。従来の光ファイバ通信で一般的に用いられているシングルモードファイバでは、光パワーの限界により伝送可能な容量は１００Ｔｂｉｔ／ｓ程度と言われており、光伝送システムの伝送容量も限界を迎えようとしている。
【０００４】
近年では、シングルモードファイバ伝送における総伝送容量の限界を超えるために、マルチモードファイバを用いたモード多重伝送方式の研究が行われている（例えば、非特許文献２参照）。マルチモードファイバは、シングルモードファイバと比較して大きなコア断面積を有するため、コア中に複数の伝搬モードが存在し、シングルモードファイバよりも多くの光パワーを入力することが可能であり、１本のファイバ当たりの伝送容量を大幅に拡大することができる。
【先行技術文献】
【非特許文献】
【０００５】
【非特許文献１】堀口真，島崎大作，笹倉芳明，井波政朗，山本秀人，“100Gパケットトランスポートシステム（100G-PTS）の実用化”，NTT技術ジャーナル，vol. 26，no. 10，2014．
【非特許文献２】S. Randel, R. Ryf, A. Sierra, P. J. Winzer, A. H. Gnauck, C. A. Bolle, R.-J. Essiambre, D. W. Peckham, A. McCurdy, and R. Lingle, Jr., “6×56-Gb/s mode-division multiplexed transmission over 33-km few-mode fiber enabled by 6×6 MIMO equalization,” Optics Express, vol. 19, no. 17, pp. 16697-16707, 2011.
【発明の概要】
【発明が解決しようとする課題】
【０００６】
図３は、従来技術によるモード多重伝送方式における一般的なデジタルコヒーレント受信機の構成を示すブロック図である。図３に示すデジタルコヒーレント受信機２は、マルチモードファイバ伝送路１を伝送したＮ（Ｎは２以上の自然数）個のモードの光信号を多重したモード多重信号を受信する。デジタルコヒーレント受信機２は、モード分離器３と、Ｎ個のコヒーレント受信機７１〜７Ｎと、Ｎ個の局発光源６１〜６Ｎと、Ｎ個のＡＤＣ（Analog-to-Digital Converter；ＡＤ変換器）８１〜８Ｎと、デジタル信号処理装置９とで構成されている。
【０００７】
モード分離器３は、マルチモード光カプラ４と、Ｎ個のモード変換器５１〜５Ｎとで構成されている。マルチモード光カプラ４は入力されたモード多重信号をＮ分岐して出力する。モード変換器５１〜５Ｎは、モード多重信号の各モード１〜Ｎを、それぞれモード毎に分離してモード１に変換して出力する。本明細書では、モード１をマルチモードファイバにおける基本伝搬モード（ＬＰ０１モード）と定義することとする。
【０００８】
コヒーレント受信機７１〜７Ｎは、それぞれ従来のデジタルコヒーレント技術で用いられている基本伝搬モードのみを伝搬可能なコヒーレント受信機である。コヒーレント受信機７１〜７Ｎは、モード分離器３から出力されるモード多重信号を構成するモード１〜Ｎに対応するモード１に変換された光信号と、局発光源６１〜６Ｎから出力されるモード１の局発光とをそれぞれ入力し、コヒーレント検波して電気信号を出力する。
【０００９】
ＡＤＣ８１〜８Ｎは、コヒーレント受信機７１〜７Ｎそれぞれから出力される電気信号をデジタル信号に変換し、デジタル信号処理装置９に対して出力する。デジタル信号処理装置９は、モード多重信号間に生じるクロストークの補償及び波形等化して復調する。
【００１０】
このように、従来のデジタルコヒーレント受信機２では、既存の基本伝搬モードのみを受信可能なコヒーレント受信機を用いて、モード多重信号を構成する各モードの光信号をそれぞれ受信するため、モード分離器３を用いて各モードの光信号を分離し、それぞれ基本伝搬モードへ変換する必要がある。また、モード分離器３におけるモード変換器５１〜５Ｎの出力とコヒーレント受信機７１〜７Ｎは、受信可能なモードが１対１対応されており、柔軟性に欠けるという問題がある。
【００１１】
本発明は、このような事情に鑑みてなされたもので、マルチモードファイバを用いた光通信において、任意のモードの光信号を受信することが可能なデジタルコヒーレント受信機を提供することを目的とする。
【課題を解決するための手段】
【００１２】
本発明の一態様は、複数のモードの光信号を多重したモード多重信号を入力し、分岐して出力するマルチモード光カプラと、分岐した前記モード多重信号をそれぞれコヒーレント検波するマルチモードコヒーレント受信機と、前記コヒーレント検波における局発光を出力する局発光源と、前記局発光をそれぞれ任意のモードで励振して、前記マルチモードコヒーレント受信機に対して出力するモード励振器と、前記マルチモードコヒーレント受信機から出力された前記モード多重信号と任意のモードで励振された局発光間の干渉からなる電気信号を、それぞれデジタル信号へ変換するＡＤ変換器と、前記ＡＤ変換器のそれぞれから出力する前記デジタル信号における前記モード多重信号間に生じるクロストークの補償及び波形等化を行い復調するデジタル信号処理装置とを備えるデジタルコヒーレント受信機である。
【００１３】
本発明の一態様は、複数のモードの光信号を多重したモード多重信号を入力し、分岐して出力するマルチモード光カプラと、分岐した前記モード多重信号をそれぞれコヒーレント検波するマルチモードコヒーレント受信機と、前記コヒーレント検波における局発光を出力する局発光源と、前記局発光をそれぞれ任意のモードで励振して、前記マルチモードコヒーレント受信機に対して出力するモード励振器と、前記マルチモードコヒーレント受信機から出力された前記モード多重信号と任意のモードで励振された局発光間の干渉からなる電気信号を、それぞれデジタル信号へ変換するＡＤ変換器と、前記ＡＤ変換器のそれぞれから出力する前記デジタル信号を、それぞれ波形等化して復調するＮ個のデジタル信号処理装置とを備えるデジタルコヒーレント受信機である。
【発明の効果】
【００１４】
本発明によれば、マルチモードファイバを用いた光通信において、任意のモードの光信号を受信することができるという効果が得られる。
【図面の簡単な説明】
【００１５】
【図１】本発明の第１実施形態によるデジタルコヒーレント受信機の構成を示すブロック図である。
【図２】本発明の第２実施形態によるデジタルコヒーレント受信機の構成を示すブロック図である。
【図３】従来技術によるモード多重伝送方式における一般的なデジタルコヒーレント受信機の構成を示すブロック図である。
【発明を実施するための形態】
【００１６】
以下、図面を参照して、本発明の実施形態によるデジタルコヒーレント受信機を説明する。本実施形態によるデジタルコヒーレント受信機は、モード多重された信号光をコヒーレント受信機に入力し、さらに局発光のモードを制御することで、光電変換とモード分離を同時に行うものである。これにより、モード多重された信号から、特定のモード成分のみを選択的に光電変換して受信することが可能になるものである。
【００１７】
以下に、モード多重信号において、特定のモードを選択的に受信可能であることを示すために、モード分離の原理について説明する。コヒーレント受信機は、信号光と局発光を干渉させてフォトダイオード等の光電変換器に入力する。光電変換器の受光面における電場Ｅｏｅは、
Ｅｏｅ＝Ｅｓｉｇ＋ＥＬＯ  ・・・（１）
であり、光電変換器の受光面における信号光Ｅｓｉｇ及び局発光ＥＬＯの電場は、
Ｅｓｉｇ≒Ａｉ  Ｄ（ｔ）ｅｘｐ（−ｊ２πｆｓｉｇｔ）  ・・・（２）
ＥＬＯ≒Ａｊ  ｅｘｐ（−ｊ２πｆＬＯｔ）  ・・・（３）
である。ここで、Ａｉ及びＡｊはマルチモードファイバ中を伝搬する信号光及び局発光の横モードであり、光の伝搬方向（ｚ方向）に直交する面の座標（ｘ，ｙ）に対する２変数関数である。通常、マルチモードファイバ中の横モードは２つの添え字で特徴づけられるが、簡単のため、一つの添え字としている。Ｄ（ｔ）は変調信号の複素振幅、ｆｓｉｇ及びｆＬＯは信号光及び局発光の中心周波数、ｊは虚数単位を示す。
【００１８】
マルチモードファイバ中を伝搬する光の横モードのセット｛Ａｉ｝は、正規直交系を構成する（参考文献１：「岡本勝就，“光導波路の基礎”，コロナ社，ISBN4-339-00602-5．pp. 347-350 (特にpp. 350)」）。そのため、次の性質が成り立つ。
【数１】
2017038103.tif 000003
ここで、δ（ｉ，ｊ）はクロネッカーのδ関数である。本実施形態では、（４）式の性質を利用してモードの選択受信を行う。
【００１９】
コヒーレント受信機における光電変換器は光強度を電流に変換する装置であり、光強度は光電場の絶対値二乗に対応する。したがって、信号光と局発光の干渉光を入力した光電変換器の出力電流Ｉは、
Ｉ＝｜Ｅｓｉｇ＋ＥＬＯ｜２  ・・・（５）
で示される。（５）式を展開すると、
Ｉ＝｜Ｅｓｉｇ｜２＋｜ＥＬＯ｜２＋２ＥｓｉｇＥＬＯ  ・・・（６）
となる。（６）式において、第２項｜ＥＬＯ｜２は局発光の強度であり、局発光は一定強度の単色光を用いるため、時間に依存せず一定である。また、通常、局発光は信号光と比較して強度が大きいため、第１項の信号光強度｜Ｅｓｉｇ｜２は第３項の２ＥｓｉｇＥＬＯと比べて小さいため無視できる。したがって、光電変換器の出力電流Ｉの交流成分ＩＡＣは、
ＩＡＣ＝２ＥｓｉｇＥＬＯ  ・・・（７）
となる。なお、バランス受信方式を用いることで、直流成分の除去や近似を用いずとも、（７）式の結果を直接得ることができる。
【００２０】
コヒーレント受信機における光電変換器の出力は、（７）式のとおり、信号光電場と局発光電場の積で与えられるため、（４）式の性質から、信号光と局発光の横モードが一致したときのみに、光電変換器から信号が出力される。すなわち、光電変換器の出力は（７）式に（２）式及び（３）式を代入して
ＩＡＣ≒ＡｉＡｊＤ（ｔ）ｅｘｐ（−ｊ２π（ｆｓｉｇ−ｆＬＯ）ｔ）・・・（８）
となり、さらに（４）式の性質から、
【数２】
2017038103.tif 000004
となる。
【００２１】
なお、（８）式には本来、和周波の項ｅｘｐ（−ｊ２π（ｆｓｉｇ＋ｆＬＯ）ｔ）の項が存在するが、この項は通常用いる光電変換器の周波数帯域よりはるかに大きな周波数（光周波数の２倍付近）で高速に振動しているため、実際には光伝流出力として得られないので式から省略している。
【００２２】
この式変形はすべて線形な演算なので、信号光が複数のモードの線形和である場合、すなわちモード多重された信号の場合でも有効である。モード多重された信号は、
Ｅｍ，ｓｉｇ≒ΣｋＡｋＤｋ（ｔ）ｅｘｐ（−ｊ２πｆｓｉｇｔ）  ・・・（１０）
であり、これに対して、横モードＡｌの局発光を干渉させて光電変換器に入射して得られる光伝流出力の交流成分Ｉｍｌは、
Ｉｍｌ≒Ｄｌ（ｔ）ｅｘｐ（−ｊ２π（ｆｓｉｇ−ｆＬＯ）ｔ）  ・・・（１１）
となる。すなわち、モード多重信号から、局発光のモードと一致するモードの信号のみを選択的に電気信号に変換して受信することができる。
【００２３】
＜第１実施形態＞
次に、前述したモード分離の原理を適用したデジタルコヒーレント受信機について説明する。図１は第１実施形態によるデジタルコヒーレント受信機の構成を示すブロック図である。この図において、図３に示す従来の装置と同一の部分には同一の符号を付し、その説明を省略する。図１に示すデジタルコヒーレント受信機２は、マルチモード光カプラ１０と、局発光源１１１〜１１Ｎと、モード励振器１２１〜１２Ｎと、マルチモードコヒーレント受信機１３１〜１３Ｎと、ＡＤＣ１４１〜１４Ｎと、デジタル信号処理装置１５とで構成されている。
【００２４】
マルチモード光カプラ１０は、マルチモードファイバ伝送路１を伝送したＮ個のモードの光信号を多重したモード多重信号を入力し、Ｎ分岐して出力する。モード励振器１２１〜１２Ｎは局発光源１１１〜１１Ｎから出力される局発光を任意のモードで励振して、マルチモードコヒーレント受信機１３１〜１３Ｎに対して出力する。マルチモードコヒーレント受信機１３１〜１３Ｎは、Ｎ個のモードの伝搬が可能な光学用品で構成されている。
【００２５】
その構造は、例えば参考文献２：「M. Nakazawa, K. Kikuchi, and T. Miyazaki, “High Spectral Density Optical Communication Technologies,” Optical and Fiber Communications Reports, vol. 6, pp. 11-49, 2010.」に示すような、従来の基本伝搬モードのみの伝搬が可能なコヒーレント受信機と同等であり、ヘテロダインもしくはホモダイン受信方式によりコヒーレント検波する。モード多重偏波多重信号を受信する場合、偏波ダイバーシティの構成をとる。
【００２６】
マルチモードコヒーレント受信機１３１〜１３Ｎは、マルチモード光カプラ１０でＮ分岐されたモード多重信号と、局発光源１１１〜１１Ｎから出力される局発光をモード励振器１２１〜１２Ｎでそれぞれ任意のモードで励振して入力する。マルチモードコヒーレント受信機１３１〜１３Ｎは、（１１）式に示す通り、モード多重信号と任意のモードで励振された局発光との同一モード間の干渉信号を電気信号として出力する。
【００２７】
ＡＤＣ１４１〜１４Ｎは、マルチモードコヒーレント受信機１３１〜１３Ｎそれぞれから出力される電気信号をデジタル信号に変換し、デジタル信号処理装置１５に対して出力する。デジタル信号処理装置１５は、モード多重信号間に生じるクロストーク補償及び波形等化して復調する。
【００２８】
以上により、デジタルコヒーレント受信機２において、図３に示すようなモード分離器３を不要とし、マルチモードコヒーレント受信機１３１〜１３Ｎにおいて任意のモードの光信号を受信することが可能になる。
【００２９】
なお、図１に示すモード励振器１２１〜１２Ｎは、図３に示すモード変換器５１〜５Ｎと基本な構成は同じものであるが、図１においては、このモード変換器５１〜５Ｎと同等のものを逆向きに使用している。モード変換器５１〜５Ｎを逆向きに使うことで、モード変換器５１〜５Ｎが「モードＮ→モード１」に変換するのに対し、モード励振器１２１〜１２Ｎは「モード１→モードＮ」に変換されることになる。また、モード励振を実現する手段の一つとして代表的なのは、光の位相分布を制御するために、位相板を用いる方法が使用可能である（参考文献３：「五十嵐浩司，相馬大樹，釣谷剛宏，“位相板を用いた10 モードファイバのモード励振シミュレーション”， 電子情報通信学会総合大会，2014/3/18~21，新潟市，B-10-62，通信講演論文集２，pp. 430,」）。
【００３０】
また、参考文献４：「Clemens Koebele, Massimiliano Salsi, Donato Sperti, Patrice Tran, Patrick Brindel, Haik Mardoyan, Sebastien Bigo, Aurelien Boutin, Frederic Verluise, Pierre Sillard, Marianne Astruc, Lionel Provost, Frederic Cerou, Gabriel Charlet, "Two mode transmission at 2x100Gb/s, over 40km-long prototype few-mode fiber, using LCOS-based programmable mode multiplexer and demultiplexer", Optics Express, vol. 19, no. 17, 2011.」のように位相パタンをプログラマブルに可変できるモード変換器（逆向きに使えばモード励振器となる）も使用することが可能である。
【００３１】
＜第２実施形態＞
次に、本発明の第２実施形態によるデジタルコヒーレント受信機について説明する。図２は、第２実施形態によるデジタルコヒーレント受信機の構成を示すブロック図である。この図において、図１に示すデジタルコヒーレント受信機と同一の部分には同一の符号を付し、その説明を省略する。この図に示すデジタルコヒーレント受信機が図１に示すデジタルコヒーレント受信機と異なる点は、ＡＤＣ１４１〜１４Ｎそれぞれに対応したデジタル信号処理装置１６１〜１６Ｎが設けられている点である。
【００３２】
本実施形態によるデジタルコヒーレント受信機２は、モード多重信号間に生じるクロストークが十分小さい場合、もしくはクロストークによる信号特性劣化を許容する場合を想定しており、第１実施形態のデジタル信号処理装置１５を、Ｎ個のデジタル信号処理装置１６１〜１６Ｎとし、ＡＤＣ１４１〜１４Ｎから出力されるデジタル信号をそれぞれ入力する構成としている。デジタル信号処理装置１６１〜１６Ｎは、それぞれデジタル信号を波形等化して復調する。
【００３３】
本実施形態のＮ個のモードの光信号を多重したモード多重信号を受信するデジタルコヒーレント受信機２において、これを構成するマルチモードコヒーレント受信機１３１〜１３Ｎ、モード励振器１２１〜１２Ｎ、局発光源１１１〜１１Ｎ、ＡＤＣ１４１〜１４Ｎ及びデジタル信号処理装置１６１〜１６Ｎ等の部品は、それぞれＮ個からなっているが、構成部品の個数はＫ個（１≦Ｋ＜Ｎ）として、Ｎモード多重信号に対して、Ｋ個のモードの信号を選択的に受信する構成とすることができる。
【００３４】
なお、前述した説明において、マルチモードファイバ伝送路１を伝送するモード多重信号を対象とした実施形態を説明したが、一般的な５０ミクロン（μｍ）もしくは６０ミクロンのグレーデッドインデクス型マルチモードファイバやステップインデックス型マルチモードファイバ、数モードのみ伝送可能なフューモードファイバ等に限定されるものではない。例えば、一般的な通信波長帯においてシングルモードファイバとして定義される光ファイバの場合、カットオフ波長以下の波長領域においては、モード多重されたマルチモード信号を伝送させることが可能であり、このような伝送領域においても前述したデジタルコヒーレント受信機は同様に適用することが可能である。参考文献１には「グレーデッドインデクス」型マルチモードファイバの例が記載されているのみであるが、ステップインデックス型マルチモードファイバ、フューモードファイバ、シングルモードファイバ等、異なるタイプの光ファイバについても、全く同じ効果を得ることが可能である。
【００３５】
以上説明したように、本実施形態によるデジタルコヒーレント受信機では、Ｎ個の局発光源から出力される局発光をそれぞれ任意の（必要なマルチモードファイバを伝送してくる信号のモードに対応した）モードで励振して、モード多重信号と任意のモードで励振された局発光間の干渉からなる電気信号を、デジタル信号に変換するようにした。この構成により、マルチモードファイバを用いた光通信において、デジタルコヒーレント受信機におけるモード分離器を不要とし、Ｎ個のコヒーレント受信機において任意のモードの光信号を受信することが可能になる。
【００３６】
前述した実施形態におけるデジタルコヒーレント受信機の一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００３７】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００３８】
マルチモードファイバを用いた光通信において、任意のモードの光信号を受信することが不可欠な用途に適用できる。
【符号の説明】
【００３９】
１・・・マルチモードファイバ伝送路、２・・・デジタルコヒーレント受信機、１０・・・マルチモード光カプラ、１１１〜１１Ｎ・・・局発光源、１２１〜１２Ｎ・・・モード励振器、１３１〜１３Ｎ・・・マルチモードコヒーレント受信機、１４１〜１４Ｎ・・・ＡＤＣ（ＡＤ変換器）、１５、１６１〜１６Ｎ・・・デジタル信号処理装置
【図１】
2017038103.tif 000005
【図２】
2017038103.tif 000006
【図３】
2017038103.tif 000007